(57)【要約】【課題】  小型化及び構造の簡素化を図ることができる複合型回転式電子部品を提供する。【解決手段】  ケース１０に回転自在に取り付けられた第２回転型物９０が回転することで、その下面に取り付けた摺動子９４が摺接パターン１１７上を摺動して電気的出力が変化する回転式電子部品と、第１のスイッチ１２６の上に、第１のスイッチ１２６を押圧する押圧部１２１を備えた押圧部材１２０と、第２のスイッチ１２８と、第２のスイッチ１２８を押圧する押圧部６３を備えたキートップ６０とを載置してなる二段押圧型スイッチとを備えた二段押圧型スイッチ付き回転式電子部品１である。押圧部材１２０はその外周側面が第２回転型物９０の下面側に設けた収納部９５の内周側面にガイドされるように収納部９５内に直接上下動自在に収納される。【選択図】図５
2005183135.tif 000002
【特許請求の範囲】
【請求項１】
回転型物が回転することでその電気的出力を変化する回転式電子部品と、
前記回転型物の下面側に設けられた収納部内に収納された押圧部材が上下方向に移動することでその電気的出力を変化する押圧型電子部品とを備え、
前記押圧部材はその外周側面が前記収納部の内周側面に上下動自在にガイドされていることを特徴とする複合型回転式電子部品。
【請求項２】
回転型物が回転することでその電気的出力を変化する回転式電子部品と、
前記回転型物の下面側に設けられた収納部内に収納された押圧部材が上下方向に移動することでその電気的出力を変化する押圧型電子部品とを備え、
前記回転型物を回転自在に軸支する軸支部を前記押圧部材の上部に設置すると共に、前記押圧型電子部品を押圧操作するキートップを前記回転型物の上部に設置し、キートップに設けた押圧部を前記軸支部内に上下動自在に挿通してこの押圧部の下端を前記押圧部材に対向設置し、
さらに前記押圧部材の外周側面を前記収納部の内周側面に上下動自在にガイドさせたことを特徴とする複合型回転式電子部品。
【請求項３】
ケースと、
前記ケースに回転自在に取り付けられる回転型物が回転することで電気的出力が変化する回転式電子部品と、
第１のスイッチの上に、第１のスイッチを押圧する押圧部材と、第２のスイッチと、第２のスイッチを押圧する押圧部を備え且つこの押圧部が前記ケースに上下動自在に取り付けられるキートップとを載置してなる二段押圧型スイッチ付き回転式電子部品において、
前記押圧部材は、前記回転型物の下面側に設けた収納部内に、押圧部材の外周側面を収納部の内周側面にガイドさせた状態で上下動自在に収納されていることを特徴とする二段押圧型スイッチ付き回転式電子部品。
【発明の詳細な説明】
【技術分野】
【０００１】
本発明は、回転式電子部品と押圧型電子部品とを備えた複合型回転式電子部品及び二段押圧型スイッチ付き回転式電子部品に関するものである。
【背景技術】
【０００２】
従来、回転式電子部品の他に他の押圧型電子部品を一体に有する複合型回転式電子部品として、特許文献１の図６に示す構造の押圧型スイッチ付き回転式電子部品がある。この押圧型スイッチ付き回転式電子部品は、ケースに設けた略円筒状の仕切り部材の外周に回動自在に軸支されたリング形状の回転型物（操作型物）と、前記回転型物の下面に取り付けた摺動子と、摺動子が摺接する摺接パターンを設けたフレキシブル基板とで回転式電子部品を構成し、一方前記仕切り部材の内部に上下動自在に設置した押圧部材の上下にそれぞれスイッチを設置すると共に、その上にキートップを配置することで押圧型電子部品（押圧型スイッチ）を構成している。そしてこの押圧型スイッチ付き回転式電子部品は、回転型物を回転することで、摺動子が摺接パターン上を摺動してその電気的出力が変化する。一方キートップを押圧することで、その下に配置された二つのスイッチが所定の順序でそれぞれオンする。
【０００３】
しかしながらこの押圧型スイッチ付き回転式電子部品では、前述のように、押圧部材の上下方向への移動のガイドと、回転型物の軸支とを、押圧部材の外周側面と回転型物の内周側面との間に設置した仕切り部材によって行っているので、押圧型スイッチ付き回転式電子部品の外径は、少なくとも押圧部材の外径と、仕切り部材の厚み寸法と、リング状の回転型物の幅寸法とを合計した分の寸法が必要になってしまい、押圧型スイッチ付き回転式電子部品の径寸法をそれ以上小さくすることが困難であるという問題があった。
【特許文献１】特開２００１−１８４９６７号公報
【発明の開示】
【発明が解決しようとする課題】
【０００４】
本発明は上述の点に鑑みてなされたものでありその目的は、小型化を図ることができる、回転式電子部品の他に他の押圧型電子部品を一体に有する複合型回転式電子部品及び二段押圧型スイッチ付き回転式電子部品を提供することにある。
【課題を解決するための手段】
【０００５】
本願請求項１に記載の発明は、回転型物が回転することでその電気的出力を変化する回転式電子部品と、前記回転型物の下面側に設けられた収納部内に収納された押圧部材が上下方向に移動することでその電気的出力を変化する押圧型電子部品とを備え、前記押圧部材はその外周側面が前記収納部の内周側面に上下動自在にガイドされていることを特徴とする複合型回転式電子部品にある。
【０００６】
本願請求項２に記載の発明は、回転型物が回転することでその電気的出力を変化する回転式電子部品と、前記回転型物の下面側に設けられた収納部内に収納された押圧部材が上下方向に移動することでその電気的出力を変化する押圧型電子部品とを備え、前記回転型物を回転自在に軸支する軸支部を前記押圧部材の上部に設置すると共に、前記押圧型電子部品を押圧操作するキートップを前記回転型物の上部に設置し、キートップに設けた押圧部を前記軸支部内に上下動自在に挿通してこの押圧部の下端を前記押圧部材上に対向設置し、さらに前記押圧部材の外周側面を前記収納部の内周側面に上下動自在にガイドさせたことを特徴とする複合型回転式電子部品にある。
【０００７】
本願請求項３に記載の発明は、ケースと、前記ケースに回転自在に取り付けられる回転型物が回転することで電気的出力が変化する回転式電子部品と、第１のスイッチの上に、第１のスイッチを押圧する押圧部材と、第２のスイッチと、第２のスイッチを押圧する押圧部を備え且つこの押圧部が前記ケースに上下動自在に取り付けられるキートップとを載置してなる二段押圧型スイッチ付き回転式電子部品において、前記押圧部材は、前記回転型物の下面側に設けた収納部内に、押圧部材の外周側面を収納部の内周側面にガイドさせた状態で上下動自在に収納されていることを特徴とする二段押圧型スイッチ付き回転式電子部品にある。
【発明の効果】
【０００８】
本願請求項１に記載の発明によれば、回転型物の下面側に設けた収納部内に押圧部材を収納したのでその厚みの薄型化が図れると同時に、押圧部材の外周側面を収納部の内周側面で上下動自在にガイドしたので、回転型物と押圧部材との間にこれらを軸支したりガイドしたりする別部材が介在せず、従って押圧型スイッチ付き回転式電子部品全体の厚み及び外径の小型化及び構造の簡素化を図ることができる。
【０００９】
本願請求項２に記載の発明によれば、回転型物を回転自在に軸支する軸支部を押圧部材の上部に設置するとともにこの軸支部内にキートップの押圧部を挿通してガイドさせたので、１つの軸支部で回転型物の軸支とキートップの軸支ができて構造の簡素化が図れる。また回転型物は軸支部に回転自在にガイドされ、且つ押圧部材も回転型物の収納部によって上下動自在にガイドされるので、これら回転型物と押圧部材の両方の確実な動作を実現できる。したがって電子部品を小型化しその構造を簡素化しながらも、その確実な動作を実現することができる。
【００１０】
本願請求項３に記載の発明によれば、回転型物の下面側に設けた収納部内に押圧部材を収納したのでその厚みの薄型化が図れると同時に、押圧部材の外周側面を収納部の内周側面で上下動自在にガイドしたので、回転型物と押圧部材との間にこれらを軸支したりガイドしたりする別部材が介在せず、従って二段押圧型スイッチ付き回転式電子部品全体の厚み及び外径の小型化及び構造の簡素化を図ることができる。
【発明を実施するための最良の形態】
【００１１】
以下、本発明の実施形態を図面に基づいて詳細に説明する。
図１及び図２は本発明の一実施形態にかかる複合型回転式電子部品（以下この実施形態では「二段押圧型スイッチ付き回転式電子部品」という）１の分解斜視図であり、図１は上面側から見た図、図２は下面側から見た図である。これらの図に示すように二段押圧型スイッチ付き回転式電子部品１は、ケース１０の上側にねじりコイルバネ３０と、第１回転型物４０と、コイルバネ５０と、キートップ６０と、回転つまみ７０とを設置し、ケース１０の下側に回転型物（以下この実施形態では「第２回転型物」という）９０と、スイッチ部材１００と、取付部材１３０とを設置して構成されている。以下各構成部品について説明する。
【００１２】
固定側の部材であるケース１０は、成形樹脂を略円板状に形成するとともに、その外周から下面側に向かって側壁を突出することで収納部２０を形成して構成されている。そしてケース１０の中央には上下方向に向かって筒状の軸支部１１を突設し、またケース１０上面の軸支部１１の周囲にはこれを囲むように一対の円弧状に突出する側壁部１２，１２を設け、さらに両側壁部１２，１２の対向する一方の端部にはそれぞれ係止部１３，１３を半径方向外側に向かって突出して設けている。また両側壁部１２，１２よりも半径方向外側の同一円周上には３つの貫通する円弧状の連結部挿通部１５が設けられている。軸支部１１の中央には下記するキートップ６０の押圧部６３を上下動自在に貫通する挿入口１８が設けられ、また軸支部１１の外周側面の所定位置には爪状に突出してねじりコイルバネ３０の抜けを防止するとともに第１回転型物４０の回転のストッパーとなる抜け防止兼ストッパー部１７が設けられている。
【００１３】
一方、ケース１０の下面側には、下記する第２回転型物９０を収納する円形凹状の収納部２０が設けられており、さらに収納部２０の外周の一部には、扇形凹状の第２収納部２１が設けられている。そしてケース１０の外周下面には下方向に突出する小突起からなる４つの固定部１９が設けられている。
【００１４】
ねじりコイルバネ３０は、線材をコイル状に約２回巻き回してなるコイル部３１の両端から半径方向外側に向けて略ハ字状で直線状に２本の引出部３３，３３を引き出して構成されている。
【００１５】
第１回転型物４０は、合成樹脂を略円形の板状に成形して構成されており、その中央には上下に貫通して前記ケース１０の円柱状の軸支部１１を通す円形の孔の挿通部４１が設けられ、挿通部４１には、その外周の一部を扇状に切り欠いた係止部４１ａが設けられている。そして、挿通部４１の周囲の上面にはコイルバネ５０の端部を挿入するリング状で凹状のバネ座部４２が設けられ、バネ座部４２の外周囲の上面には凸状に突出するガイド突起４３と係止穴４４とが複数個ずつ交互に設けられている。また、第１回転型物４０の下面の挿通部４１の周囲には、円弧状に突出してその下辺がケース１０上面に当接する摺接部４５が設けられ、また摺接部４５の３ヶ所からは前記ケース１０の連結部挿通部１５に挿入され、第２回転型物９０に連結される凸状に突出する連結部４６が突出して設けられている。なお連結部４６の突出長は摺接部４５の突出長よりも長い。また第１回転型物４０の下面の外周近傍には、前記ねじりコイルバネ３０の引出部３３，３３の両外側辺に当接する２つの板状に突出する当接部４７，４７が設けられている。
【００１６】
コイルバネ５０は、弾性金属線材をコイル状に複数回巻き回して形成されており、その径は第１回転型物４０のバネ座部４２内に収まる寸法に形成されている。
【００１７】
キートップ６０は、略円板状の押釦部６１と押釦部６１の下面中央から突出する棒状の押圧部６３とを合成樹脂によって一体成形して構成されている。押釦部６１の外周にはつば部６５が設けられ、また押釦部６１の下面にはリング状の凹部から成るバネ座部６７が設けられている。
【００１８】
回転つまみ７０は、合成樹脂を略円筒状に成形して構成されており、その中央には前記キートップ６０の押釦部６１を挿入する円形の孔から成る押釦部挿入部７１が設けられ、その外周側面からは凸状の操作部７３を突出し、またその下面側の押釦部挿入部７１の周囲には下方向に突出してその先端が前記第１回転型物４０の係止穴４４に挿入される凸状の固定部７５を設けている。
【００１９】
第２回転型物９０は、合成樹脂を略円形の板状に成形して構成されており、その外周の一部から半径方向外側に向かって突出する板状の摺動子取付部９１を突出して設け、またその中央には上下に貫通して前記ケース１０の円柱状の軸支部１１を通す円形の孔の挿通部９２を設け、さらに挿通部９２の周囲に前記第１回転型物４０の連結部４６を挿入して固定する上下に貫通した係止部９３を設けて構成されている。また前記摺動子取付部９１の下面には金属板製の摺動子９４が取り付けられている。
【００２０】
そして第２回転型物９０の下面の挿通部９２の周囲には略円形凹状の収納部９５が設けられ、この収納部９５を構成する円形の内周側面には収納部９５の半径方向内側に向かって突出する円形凹状の収納部９５の厚み方向（図１，２では上下方向）に長尺な断面半円形状の複数個のガイド突起９６が設けられている。この実施形態ではガイド突起９６は３つ設けられ、各ガイド突起９６の先端辺が構成する円の内径を下記する押圧部材１２０の外径と略同一寸法に形成している。また、係止部９３の周囲には収納部９５とつながった凹部として形成された連結部収納部９７が設けられている。
【００２１】
次に、図３はスイッチ部材１００の展開図であり、図３（ａ）は上面側からみた図、図３（ｂ）は下面側から見た図である。同図に示すようにスイッチ部材１００は、合成樹脂フイルム（例えばポリエチレンテレフタレートフイルム）製のフレキシブル基板１０１に、弾性金属板をドーム形状に形成してなる反転板（以下この実施形態では「クリック板」という）１０２と、押圧部材１２０とを取り付けて構成されている。
【００２２】
フレキシブル基板１０１は略円形の一対の基板部１０３、１０４と、基板部１０３、１０４よりも小径の円形の一対の基板部１０５、１０６とを具備して構成され、基板部１０３、１０４間を接続部１０７で接続し、基板部１０５、１０６間を接続部１０９で接続し、さらに基板部１０３、１０５間を接続部１０８で接続して構成されている。基板部１０３には、略扇状の貫通する開口部１１１が設けられ、また基板部１０３の外周部からは引出部１１０が引き出されている。また、基板部１０３と基板部１０４の外周近傍の所定位置には貫通孔からなる固定部１１２が設けられている。これら各固定部１１２は前記ケース１０の各固定部１９に対応する位置に設けられている。
【００２３】
また、各基板部１０３、１０４、１０５、１０６の一方の面（図では下面）の中央には導電ペーストを印刷形成することで接点パターン１１３、１１４、１１５、１１６が形成されている。さらに基板部１０４の下面には前記摺動子９４が摺接する略円弧状の摺接パターン（スイッチパターン）１１７が形成されている。また、各接点パターン１１３、１１４、１１５、１１６及び摺接パターン１１７からは回路パターン１１８が引き出されて引出部１１０に導かれている。そしてフレキシブル基板１０１下面の各接点パターン１１３、１１４、１１５、１１６及び摺接パターン１１７の部分を除く部分には、図示は省略するが前記各種パターンの厚みより厚い絶縁塗料を印刷形成することでスペーサ層が設けられている。
【００２４】
押圧部材１２０は略円板形状の成形樹脂体であり、その下面（但し図３ではその下面が上方を向いている）の中央には押圧部１２１が突出して設けられ、その上面には前記基板部１０５、１０６を収納固定する円形の凹部１２２が設けられている。また凹部１２２の外周側壁の対向する位置には前記接続部１０８を挿入する切り欠き状の溝からなる係止部１２３と前記接続部１０９を固定するスリット状の穴からなる係止部１２４とが設けられている。
【００２５】
ここでこのスイッチ部材１００の組み立て方法を説明する。まず基板部１０３上面の接点パターン１１３に対向する位置にクリック板１０２を取り付け、次に基板部１０４を接続部１０７の部分で折り返して基板部１０３の下側に重ね合わせ、この重ね合わせた基板部１０３と基板部１０４とで第１のスイッチ基板部１２５を構成する。このとき接点パターン１１３と接点パターン１１４とはスペーサ層の厚みによって所定の隙間を介して対向した状態となり第１のスイッチ１２６を構成する。次に基板部１０６を接続部１０９の部分で折り返して基板部１０５の下側に重ね合わせ、この重ね合わせた基板部１０５と基板部１０６とで第２のスイッチ基板部１２７を構成する。この場合も接点パターン１１５と接点パターン１１６とはスペーサ層の厚みによって所定の隙間を介して対向した状態となり、これにより第２のスイッチ１２８を構成している。
【００２６】
次に、第２のスイッチ基板部１２７の基板部１０５の上から押圧部材１２０を被せて、第２のスイッチ基板部１２８を凹部１２２内に収納する。このとき折り返された接続部１０９は係止部１２４に挿入され、他方の接続部１０８は係止部１２３に差し込まれて係止され、これによって第２のスイッチ基板部１２７は押圧部材１２０に係止される。そして押圧部材１２０を取り付けた第２のスイッチ基板部１２７を接続部１０８の部分で折り返して、第１のスイッチ基板部１２５の上に押圧部材１２０の凹部１２２が上側を向くように重ね合わせる。これにより図１に示すように、第１のスイッチ基板部１２５の上に押圧部材１２０が載置され、さらに押圧部材１２０の上に第２のスイッチ基板部１２７が載置されることとなる。このとき押圧部１２１は第１のスイッチ１２６に取り付けたクリック板１０２の上面中央に配置される。一方、基板部１０４に設けた摺接パターン１１７は、基板部１０３に設けた開口部１１１の部分に露出する。以上によりスイッチ部材１００の組み立てが完了する。
【００２７】
次に取付部材１３０は第１のスイッチ基板部１２５の外形寸法と略同一の外形寸法の金属板で構成され、その四隅の前記固定部１９に対応する位置に貫通穴からなる固定部１３１を設けている。
【００２８】
次にこの二段押圧型スイッチ付き回転式電子部品１の組み立て手順を説明する。まず第１回転型物４０の上に、コイルバネ５０とキートップ６０を収納した回転つまみ７０を載置し、回転つまみ７０の４つの固定部７５の先端を、第１回転型物４０の係止穴４４に挿入して第１回転型物４０の下面から突出する部分を熱カシメしてこれら各部材を一体化する。このときコイルバネ５０の両端は第１回転型物４０のバネ座部４２とキートップ６０のバネ座部６７に挿入されることで押釦部６１を回転つまみ７０の押釦部挿入部７１内に押し上げるように弾発する。
【００２９】
次にケース１０の軸支部１１をねじりコイルバネ３０のコイル部３１内に挿入するとともに、両引出部３３，３３の両外側部分をそれぞれ係止部１３，１３の内側側面に係止する。
【００３０】
そしてケース１０の上に、回転つまみ７０，キートップ６０，コイルバネ５０を取り付けた第１回転型物４０をその挿通部４１に軸支部１１を挿入して載置する。このとき第１回転型物４０の連結部４６がケース１０の連結部挿通部１５を貫通する。一方ケース１０下面の収納部２０内に、第２回転型物９０を収納する。このとき第２回転型物９０の挿通部９２に軸支部１１が挿入され、また摺動子取付部９１が収納部２０内に挿入される。さらにこのとき連結部挿通部１５を貫通した第１回転型物４０の連結部４６が第２回転型物９０の係止部９３に挿入されるので、係止部９３の下面側に突出した連結部４６の先端部を熱カシメして潰すことにより第１回転型物４０と第２回転型物９０とを互いに連結して固定する。なお円弧状の連結部挿通部１５の円弧の長さは第１回転型物４０の連結部４６が回転するのに必要な長さを有する開口形状を有している。なお熱カシメにより潰された連結部４６の先端部分は連結部収納部９７内に収納される。
【００３１】
続いて、前述したすでに組み立てたスイッチ部材１００を第２回転型物９０の下面側に配置することで、押圧部材１２０を第２回転型物９０の収納部９５内に収納すると共に、ケース１０の下面に第１のスイッチ基板部１２５を当接し、さらにその下面側に取付部材１３０を取り付ける。このときケース１０の固定部１９が固定部１１２及び固定部１３１を貫通するので、取付部材１３０の下面側に突出した固定部１９の先端部分を熱カシメして潰す。これにより二段押圧型スイッチ付き回転式電子部品１が完成する。
【００３２】
図４は完成した二段押圧型スイッチ付き回転式電子部品１をその上側から見た斜視図であり、図５は二段押圧型スイッチ付き回転式電子部品１の概略断面図である。また図６は二段押圧型スイッチ付き回転式電子部品１をその下面側から見た斜視図である。但し図６では二段押圧型スイッチ付き回転式電子部品１の内部の説明のため、取付部材１３０とスイッチ部材１００の第１のスイッチ基板部１２５を省略した状態で示してある。図５に示すように二段押圧型スイッチ付き回転式電子部品１は、互いに連結して一体となった回転つまみ７０と第１回転型物４０と第２回転型物９０、及び第２回転型物９０に取り付けた摺動子９４と摺接パターン１１７とによって回転式電子部品が構成されている。一方、取付部材１３０の上に設置される第１のスイッチ１２６と、第１のスイッチ１２６の上に設置され且つ第２回転型物９０の収納部９５内に収納される押圧部材１２０と、押圧部材１２０の上に設置される第２のスイッチ１２８と、ケース１０の軸支部１１内に上下動自在に取り付けられるキートップ６０とによって押圧型電子部品（以下この実施形態では「二段押圧型スイッチ」という）が構成されている。
【００３３】
ここで図５に示すように、第２回転型物９０の下面側に設けた収納部９５内に押圧部材１２０を収納したので、収納部９５を設けない場合に比べて、その厚みの薄型化が図れる。同時に図６に示すように、押圧部材１２０の外周側面１２０ａを収納部９５の内周側面に設けたガイド突起９６に当接・支持することによって収納部９５の内周側面に直接上下動自在となるようにガイドしたので、第２回転型物９０と押圧部材１２０との間にこれらを軸支したりガイドしたりする別部材を介在せず、二段押圧型スイッチ付き回転式電子部品１の外径を押圧部材１２０の外径寸法と第２回転型物９０の幅寸法を合わせた寸法の径で構成することができ、従って構造の複雑な二段押圧型スイッチ付き回転式電子部品１であってもその外径の小型化及び構造の簡素化を図ることができる。
【００３４】
また図５に示すように、第２回転型物９０を回転自在に軸支する軸支部１１を押圧部材１２０の上部に設置するとともにこの軸支部１１内にキートップ６０の押圧部６３を挿通してガイドさせたので、１つの軸支部１１外周面と内周面とで第２回転型物９０の軸支とキートップ６０の軸支ができて構造の簡素化が図れる。また第２回転型物９０は軸支部１１によって回転自在にガイドされ、且つ前述のように押圧部材１２０も第２回転型物９０の収納部９５によって上下動自在にガイドされるので、これら第２回転型物９０と押圧部材１２０の両方の確実な動作を実現できる。したがって二段押圧型スイッチ付き回転式電子部品１を小型化しその構造を簡素化しながらも、その確実な動作を実現することができる。
【００３５】
次に、二段押圧型スイッチ付き回転式電子部品１の動作を説明する。まず図４に矢印で示すように回転つまみ７０を回転すると、図５に示すようにこれと一体の第１回転型物４０及び第２回転型物９０が回転し、第２回転型物９０に取り付けた摺動子９４が第１のスイッチ基板部１２５上に露出した摺接パターン１１７上を摺動してその電気的出力を変化する。このときねじりコイルバネ３０の両引出部３３，３３の両外側部分は、係止部１３，１３（図１参照）と当接部４７，４７（図２参照）のそれぞれ内側側面に当接しているので、回転つまみ７０を回転した際、一方の当接部４７がこれに当接している一方の引出部３３を押圧してこれを移動し、これによってコイル部３１のねじれ量が増大して回転つまみ７０に中立位置への自動復帰力を発生させる。従って回転つまみ７０への回転力を解除すれば回転つまみ７０は元の中立位置に自動復帰する。また、回転つまみ７０を所定の位置まで回転させると、抜け防止兼ストッパー部１７の側面が、係止部４１ａの内側面に当接するので、回転つまみ７０がそれ以上回転することは防止され、ストッパーとしての働きをする。
【００３６】
一方図５において、キートップ６０の押釦部６１を押圧すると、コイルバネ５０の弾発力に抗してキートップ６０が押し下げられ、押圧部６３がその下にある第２のスイッチ１２８を押圧してこれをオンする。そこからさらにキートップ６０を押し下げると、押圧部６３によって押圧された押圧部材１２０が前述のようにガイド突起９６（図２参照）にガイドされながら真下に下降（平行移動）し、これによって押圧部１２１がその下にあるクリック板１０２を押圧してこれを反転させると共に、第１のスイッチ１２６をオンする。押釦部６１への押圧を解除すれば、クリック板１０２が元の形状に復帰して第１のスイッチ１２６がオフし、さらにコイルバネ５０によってキートップ６０が上昇して元の位置に自動復帰し、第２のスイッチ１２８がオフする。この一連の押圧動作において、前述のように押圧部材１２０は収納部９５内壁のガイド突起９６によってその上下方向への動作がガイドされているため、正確に上下方向に平行移動し、その押圧部１２１によって確実に第１のスイッチ１２６を押圧することができる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、回転式電子部品は上記構造のものに限られず、例えば摺接パターン１１７に抵抗体パターンを用いることで回転式可変抵抗器としてもよく、またその機構も種々の変形が可能であり、要は回転型物が回転することでその電気的出力を変化する構造であればどのようなものであってもよい。
【００３８】
また、スイッチを形成する基板はフレキシブル基板に限定されず、硬質基板等で構成してもよい。また第１のスイッチ基板部１２５と第２のスイッチ基板部１２７とは互いに連結されていなくてもよく、それぞれ別々の基板部として構成してもよい。また上記実施形態では二枚のフレキシブル基板に設けた接点パターンを所定の間隔を介して対向することでスイッチを構成したが、その代わりに、一枚の基板上に設けた接点パターンの周囲に接続パターンを設け、この接続パターンにその外周が当接するようにドーム形状の弾性金属板からなる可動接点板（反転板）を取り付け、この可動接点板を押圧して反転させることでその中央を接点パターンに当接することで接点パターンと前記接続パターン間を接続するようにしてなる構造のスイッチとしてもよい。さらに、上記実施形態では押圧型電子部品が二段押圧型スイッチである場合を示したが、単に一段の押圧動作で作動する一段の押圧型スイッチでもよく、さらに押圧型電子部品はスイッチ以外の他の押圧型電子部品であってもよい。
【００３９】
また、押圧部材１２０をガイドするガイド機構の構成も上記実施形態に限られるものではなく、要は押圧部材１２０を収納部９５内で上下動自在にガイドする構成であれば、どのような構成であってもよい。
【図面の簡単な説明】
【００４０】
【図１】本発明の一実施形態にかかる二段押圧型スイッチ付き回転式電子部品１を上側から見た分解斜視図である。
【図２】本発明の一実施形態にかかる二段押圧型スイッチ付き回転式電子部品１を下側から見た分解斜視図である。
【図３】スイッチ部材１００の展開図であり、図３（ａ）は上側から見た図、図３（ｂ）は下側から見た図である。
【図４】二段押圧型スイッチ付き回転式電子部品１を上側から見た斜視図である。
【図５】二段押圧型スイッチ付き回転式電子部品１の概略断面図である。
【図６】二段押圧型スイッチ付き回転式電子部品１を下側から見た斜視図である。
【符号の説明】
【００４１】
１      二段押圧型スイッチ付き回転式電子部品（複合型回転式電子部品）
１０    ケース
２０    収納部
３０    ねじりコイルバネ
４０    第１回転型物
５０    コイルバネ
６０    キートップ
７０    回転つまみ
９０    第２回転型物（回転型物）
９４    摺動子
９５    収納部
９６    ガイド突起
１００  スイッチ部材
１０１  フレキシブル基板
１０２  クリック板（反転板）
１１３  接点パターン
１１４  接点パターン
１１５  接点パターン
１１６  接点パターン
１１７  摺接パターン
１２０  押圧部材
１２１  押圧部
１２２  凹部
１２５  第１のスイッチ基板部
１２６  第１のスイッチ
１２７  第２のスイッチ基板部
１２８  第２のスイッチ
１３０  取付部材
【図１】
2005183135.tif 000003
【図２】
2005183135.tif 000004
【図３】
2005183135.tif 000005
【図４】
2005183135.tif 000006
【図５】
2005183135.tif 000007
【図６】
2005183135.tif 000008